(57)【要約】【課題】従来のヒールを有する履物の形状に比較的近い美観を有し、踵部の強度にも考慮した、従来よりも安定した履物を提供する。【解決手段】ヒール靴１は、アッパー２と靴底３とを備える。靴底３は、靴底本体４とヒール５とを備える。靴底本体４は、アッパー前方部２１の底面に取り付けられた本体前方部４１と、アッパー後方部２２の底面に取り付けられ、本体前方部４１からヒール５にかけて上方に傾斜する本体後方部４２と、上方に傾斜する立ち上がり部分に、下方に突出する本体突出部４３と、を備える。本体突出部４３は、後方に上方傾斜する立ち上がり部分に配されていて、本体後方部４２から下方に突出するように延在し、接地面４３ａを有する。接地面４３ａは、本体前方部４１の接地面４１ａから続いている。【選択図】図１
0003196531.tif 000002
【実用新案登録請求の範囲】
【請求項１】
ヒールを有する履物の靴底であって、
ヒールと、つま先から該ヒールにかけて、アッパーの底面に沿って延在する靴底本体と、を備え、
前記本体は、
接地面を有する本体前方部と、
前記本体前方部から前記ヒールにかけて上方に傾斜する本体後方部と、
上方に傾斜する立ち上がり部分に、下方に突出して底面が接地する本体突出部と、
を有する、
靴底。
【請求項２】
前記ヒールは、
履物の背面視における底面の幅方向の中心線が、上面の幅方向の中心線よりも、外側にある、
請求項１に記載の靴底。
【請求項３】
前記靴底本体は、
前記本体前方部と前記本体後方部と前記本体突出部とが一体で形成されていて、
前記本体突出部の底面は、前記本体前方部の底面と続いている、
請求項１又は請求項２に記載の靴底。
【請求項４】
前記靴底本体は、その主たる材質が弾性材であり、
前記ヒールは、その主たる材質が樹脂材又は木材であって、底面に弾性材が取り付けられている、
請求項１乃至請求項３のいずれか１項に記載の靴底。
【請求項５】
請求項１乃至請求項４のいずれか１項に記載の靴底を備える、
履物。
【請求項６】
前記本体後方部の一部が、
前記アッパーと前記ヒールの間に部分的に介在している、
請求項５に記載の履物。
【考案の詳細な説明】
【技術分野】
【０００１】
本考案は、ヒールを有する靴底及びその靴底を備える履物に関する。
【背景技術】
【０００２】
従来、ヒールを有する履物、例えばヒール靴、ヒールサンダル、パンプス等は、つま先側からヒール側にかけて上方に傾斜した形状であって、その靴底は前方の底面とヒールの底面のみが接地する。そのため、一般的なスニーカーや平靴に比べると不安定である。
【０００３】
一方、ヒールを有する履物を安定させるため、次のような靴底が提案されている（例えば、特許文献１参照）。この靴底は、靴底のトウ側からヒール側へと延在する長さ方向の中間部でヒール側部を上ヒール部と下ヒール部に分岐させ、下ヒール部の底面をトウ側の底面と連続した接地面とし、上ヒール部はトウ側より所要角度で上方傾斜させ、前記上ヒール部底面と下ヒール部上面との間の空間には、上下ヒール部の分岐位置からヒール側先端に向けた所要位置まで足幅方向の中心部に上ヒール部底面と下ヒール部上面とを連結するブリッジを設けている（特許文献１の第２図、第６図参照）。
【先行技術文献】
【特許文献】
【０００４】
【特許文献１】特開２００７−２２２３８０号公報
【考案の概要】
【考案が解決しようとする課題】
【０００５】
しかしながら、特許文献１の靴底は、従来のヒールを有する履物よりも着地時の安定性は向上する可能性はあるが、従来のヒールを有する履物とは全体形状が大きく異なるものであるため、従来のヒールを有する履物を欲する多くの需要者に訴求しづらいという課題がある。
【０００６】
また、特許文献１の靴底は、ヒールがないものや、ヒールが湾曲しているもので、従来のヒールを有する履物と比べると踵部の強度が弱いという課題がある。
【０００７】
本考案は、上記課題に鑑みなされたものであって、従来のヒールを有する履物の形状に比較的近い美観を有し、踵部の強度にも考慮し、従来よりも安定した靴底及びその靴底を備える履物を提供することを目的とする。
【課題を解決するための手段】
【０００８】
本考案の一の態様に係る靴底は、ヒールを有する履物の靴底であって、ヒールと、つま先から該ヒールにかけて、アッパーの底面に沿って延在する靴底本体と、を備え、前記本体は、接地面を有する本体前方部と、前記本体前方部から前記ヒールにかけて上方に傾斜する本体後方部と、上方に傾斜する立ち上がり部分に、下方に突出して底面が接地する本体突出部と、を有する。
【０００９】
この構成によれば、本体突出部を備え、該本体突出部の底面が接地するため、従来のヒールを有する履物の靴底よりも、接地面が増えて安定する。また、本体突出部が、上方に傾斜する立ち上がり部分に配置されるため、従来のヒールを有する履物の靴底の形状に比較的近い美観を有する。また、ヒールを備えるため、踵部の強度も十分である。
【００１０】
ここで、人の歩行は、踵部の後方外側から接地しはじめ、靴底全体が接地した後、つま先部の前方内側を支点として靴底が離れていく。そのため、従来の靴底は踵部の後方外側、例えばヒールの後方外側からすり減っていく場合が多い。また、靴底の一部が所定量すり減った場合、靴底の張り替えが必要となる。
【００１１】
好ましくは、この靴底は、前記ヒールが、履物の背面視における底面の幅方向の中心線が、上面の幅方向の中心線よりも、外側にある。
【００１２】
ここで、履物の背面視とは、履物を踵の後方から見た状態をいう。この構成によれば、ヒールの底面が外側にずらされているので、安定するし、歩きやすい。また、ヒールの後方外側のすり減りを抑制することも可能となる。
【００１３】
好ましくは、この靴底は、前記靴底本体が、前記本体前方部と前記本体後方部と前記本体突出部とが一体で形成されていて、前記本体突出部の底面は、前記本体前方部の底面と続いている。
【００１４】
この構成によれば、靴底本体が一体で形成されているので、製造が容易で、前記本体前方部と前記本体後方部と前記本体突出部とを別体で形成する場合に比べて強度が高くなる。また、本体突出部の底面が本体前方部の底面と続いているので、より安定度が増す。
【００１５】
好ましくは、この靴底は、前記靴底本体の主たる材質が弾性材であり、前記ヒールは、その主たる材質が樹脂材又は木材であって、底面に弾性材が取り付けられている。
【００１６】
この構成によれば、靴底本体の主たる材質が弾性材であるので、歩行時の衝撃を吸収する。また、ヒールの主たる材質が樹脂材又は木材であるので、荷重のかかる踵部に十分な強度を得ることができ、更にヒールの底面に弾性材が取り付けられているので、これにより歩行時の衝撃も吸収される。また、ヒールの底面の弾性材を取り替えることができ、メンテナンスも容易となる。
【００１７】
本考案の一の態様に係る履物は、請求項１乃至請求項３のいずれか１項に記載の靴底を備える。この構成によれば、従来のヒールを有する履物の形状に近い形状で、安定した履物となる。
【００１８】
好ましくは、この履物は、前記本体後方部の一部が、前記アッパーと前記ヒールの間に部分的に介在している。この構成によれば、アッパーとヒールとがしっかりと取り付けられ、更にその間に部分的に本体後方部の一部が介在しているので、靴底本体もしっかりと取り付けられる。これにより、アッパーとヒールと靴底本体がしっかりと取り付けられ、ヒールや靴底本体の剥がれを抑制する。
【考案の効果】
【００１９】
本考案の靴底及びその靴底を備える履物によれば、従来よりも安定した靴底及び履物とすることができる。
【図面の簡単な説明】
【００２０】
【図１】本考案の一実施形態に係るヒール靴の側面図である。
【図２】本考案の一実施形態に係るヒール靴の背面図である。
【図３】本考案の一実施形態に係るヒール靴の底面図である。
【図４】本考案の一実施形態に係るヒール靴におけるアッパーと靴底の分解図である。
【図５Ａ】変形例１に係るヒール靴の側面図である。
【図５Ｂ】変形例２に係るヒール靴の側面図である。
【考案を実施するための形態】
【００２１】
以下、本考案に係る一実施形態を図面に基づき説明するが、本考案は下記実施形態に限定されるものではない。特に、ヒール靴に限定されるものでなく、ヒールを有する履物であれば、例えばヒールを有するサンダルやブーツなどでもよい。なお、下記実施形態の説明は、左足用のものについて説明し、右足用は左足用と対称であるため省略する。また、便宜上、つま先側を前方とし、踵側を後方とする。
【００２２】
＜ヒール靴の構造＞
図１は、本実施形態のヒール靴の側面図である。図２は、同背面図である。図３は、同底面図である。図１に示すように、本実施形態のヒール靴１は、アッパー２と、靴底３と、を備える。
【００２３】
図１に示すように、アッパー２は、地面と略平行の底面を有するアッパー前方部２１と、アッパー前方部２１から後方に向けて上方に傾斜するアッパー後方部２２と、を備える。本実施形態のアッパー２は、アッパー前方部２１がつま先から長手方向の中心より少し前方まで延在し、アッパー後方部２２がアッパー前方部２１の後端から上方に立ち上がり、アッパー２の後端まで上方に傾斜している。
【００２４】
図１に示すように、靴底３は、靴底本体４と、ヒール５と、を備える。靴底本体４は、アッパー前方部２１の底面に取り付けられた本体前方部４１と、アッパー後方部２２の底面に取り付けられ、本体前方部４１からヒール５にかけて上方に傾斜する本体後方部４２と、上方に傾斜する立ち上がり部分に、下方に突出する本体突出部４３と、を備える。
【００２５】
本体前方部４１は、アッパー前方部２１の底面に沿ってつま先部から後方に向けて延在しており、接地面４１ａを有する。本体後方部４２は、アッパー後方部２２の底面に沿って本体前方部４１から後方に向けて上方に傾斜するように延在している。
【００２６】
また、本実施形態における本体後方部４２は、本体前方部４１から延在していて、アッパー後方部２２とヒール５との間に一部が介在している（図４参照）。なお、本体後方部４２はこれに限られず、後端がアッパー後方部２２とヒール５の間に介在せずヒール５の前端まで延在する本体後方部４２αを備える靴底本体４αとしてもよい（図５Ａ参照）。また、アッパー後方部２２とヒール５の間の全部に介在してヒール５の後端まで延在する本体後方部４２βを備える靴底本体４βとしてもよい（図５Ｂ参照）。
【００２７】
本体突出部４３は、後方に上方傾斜する立ち上がり部分に配されていて、本体後方部４２から下方に突出するように延在し、接地面４３ａを有する。接地面４３ａは、本体前方部４１の接地面４１ａから続いている。本体突出部４３は、側面視における断面が略三角形状であり、幅方向に延びている（図１、図３参照）。
【００２８】
また、本実施形態において、本体前方部４１と本体後方部４２と本体突出部４３とは、弾性のゴム材からなり、一体に形成されている。また、図４に示すように、靴底本体４には、上面から下方に向けて複数の円形溝４ａが設けられている。本実施形態の円形溝４ａは底面には貫通していない。円形溝４ａにより、靴底本体４が軽量化され、屈曲性が向上する。なお、円形溝４ａは必須の構成ではない。
【００２９】
図１、図２に示すように、ヒール５は、ヒール本体５１と、その底面に取り付けられたヒール底５２とを備える。ヒール５は、アッパー後方部２２の踵に対応する底面に取り付けられている。なお、本実施形態においては、ヒール５とアッパー後方部２２との間に本体後方部４２の一部が介在している（図４参照）。
【００３０】
また、ヒール５は、ヒール靴１の背面視において、上面の幅方向の中心線Ｙよりも、ヒール５の底面の幅方向の中心線Ｘが、外側（図２における左側）に位置している。すなわち、ヒール５は、底面が外側にふられていて、従来よりも歩行時の安定性が増す構造となっている。なお、従来のヒール靴は、ヒールの上面と底面の幅方向の中心線は略同位置である。
【００３１】
また、ヒール本体５１は硬性の樹脂材で形成されており、ヒール本体５１の底面に取り付けられたヒール底５２は、弾性のゴム材からなり、ヒール５に十分な強度を与えるとともに、ヒール底５２により歩行時等の衝撃を吸収する。また、ヒール底５２がすり減った場合には、ヒール底５２のみを取り替えることが可能である。
【００３２】
＜本実施形態の効果＞
（１）以上説明したように、本実施形態のヒール靴１及び靴底３によれば、靴底本体４が本体突出部４３を具備し、本体突出部４３が接地面４３ａを備えているので、従来のヒール靴よりも、接地面が増えて安定する。更に、本体突出部４３は、上方に傾斜する立ち上がり部分に配置されるため、従来のヒール靴の形状に比較的近い美観を有する。
【００３３】
（２）また、ヒール５は、底面の幅方向の中心線が、上面の幅方向の中心線よりも外側に位置していて、底面が外側にふられているため、従来のヒール靴よりも歩行時の安定性が増す。また、人の歩行の特性上、従来のヒール靴ではヒール底面の後方外側部分のすり減りが大きいところ、ヒール５の底面が外側にふられているため、このすり減りが抑制される。
【００３４】
（３）上記（１）及び（２）の構成により、ヒール靴１は、従来のヒール靴よりも接地面が増加し、かつ、ヒールが外側にふられているので、従来のヒール靴よりも安定し、歩きやすい。
【００３５】
（４）また、アッパー１のアッパー後方部２２の底面にヒール５がしっかりと取り付けられていて、更にその間に部分的に本体後方部４２の一部が介在するように固定されるので、アッパー１とヒール５と靴底本体４とが安定して固定され、ヒール５や靴底本体４の剥がれが抑制される。
【００３６】
＜他の実施形態＞
以上のとおり、図面を参照しながら本考案の好適な実施形態を説明したが、本考案の趣旨を逸脱しない範囲内で、種々の追加、変更又は削除が可能である。例えば、本実施形態はヒール靴を例にとり説明したが、ヒール靴に限られず、ヒールを有する履物であればサンダルやブーツなどでもよい。したがって、そのようなものも本考案の範囲内に含まれる。
【符号の説明】
【００３７】
１  ヒール靴
２  アッパー
２１  アッパー前方部
２２  アッパー後方部
３  靴底
４  靴底本体
４１  本体前方部
４１ａ  接地面
４２  本体後方部
４３  本体突出部
４３ａ  接地面
５  ヒール
５１  ヒール本体
５２  ヒール底
４α  靴底本体
４２α  本体後方部
４β  靴底本体
４２β  本体後方部
【図１】
0003196531.tif 000003
【図２】
0003196531.tif 000004
【図３】
0003196531.tif 000005
【図４】
0003196531.tif 000006
【図５Ａ】
0003196531.tif 000007
【図５Ｂ】
0003196531.tif 000008